(57)【要約】【課題】ユーザがジャックカバーを紛失するのを防止すると共に、ジャックカバーが邪魔になって携帯性が損なわれたり、外観が損なわれたりしないようにする。【解決手段】ジャック３の内周に外部接続端子５をジャック３に挿入したときに外部接続端子５と圧接して導通する接点バネ部を突設し、ジャックカバー６にジャック３に挿入したときに接点バネ部を回避する回避用凹部を設ける。携帯電話機本体２のジャック３と異なる位置にジャックカバー６を着脱可能なダミージャック４を設け、このダミージャック４には、ジャックカバー６を挿入したときに回避用凹部に嵌りかつ外部接続端子５を挿入したときには外部接続端子５に当接して該外部接続端子５の挿入を阻止する突部を設ける。【選択図】図１
2013085138.tif 000002
【特許請求の範囲】
【請求項１】
外部接続端子が挿入されるジャックが内蔵された携帯端末本体と、該ジャックに着脱自在なジャックカバーとを有する携帯端末において、
上記ジャックは、該ジャックの内面から突出するとともに上記外部接続端子を該ジャックに挿入したときに該外部接続端子と圧接して導通する接点バネ部を備え、
上記ジャックカバーは、上記ジャックに挿入したときに上記接点バネ部を回避する回避用凹部を備え、
上記携帯端末本体の上記ジャックと異なる位置に上記ジャックカバーを着脱可能なダミージャックが設けられ、
上記ダミージャックは、上記ジャックカバーを挿入したときには上記回避用凹部に嵌りかつ上記外部接続端子を挿入するときに該外部接続端子に当接して該外部接続端子の挿入を阻止する突部を備えている
ことを特徴とする携帯端末。
【請求項２】
請求項１の携帯端末において、
上記ダミージャックは、樹脂成形品よりなり、
上記突部は、上記ダミージャックに一体成形されている
ことを特徴とする携帯端末。
【発明の詳細な説明】
【技術分野】
【０００１】
本発明は、外部接続端子が挿入されるジャックが内蔵された携帯端末本体と、このジャックに着脱自在なジャックカバーとを有する携帯端末に関し、特にジャックカバーの紛失対策に関するものである。
【背景技術】
【０００２】
従来より、この種のジャック用の防塵カバーとして、例えば特許文献１のように機器本体側の光コンセントに対して着脱可能としたものが知られている。この防塵カバーでは、機器の保管時や運搬時あるいは施工時に光コンセント内部に塵埃が入り込むのを防止できるようにしている。
【０００３】
しかしながら、この特許文献１においては、光プラグを光コンセントに接続するときに、防塵カバーを取り外すが、この防塵カバーを光コンセント側に取り付ける手段がなく、ユーザが防塵カバーを紛失する恐れがある。
【０００４】
そこで、ユーザが付属部品を取り外して使用しないときに、それ自体を紛失しないようにする対策として、例えば、特許文献２のように、電気掃除機の隙間用吸口や棚用吸口等の付属部品を掃除機本体と一体的に保管して紛失を防止するものが知られている。
【０００５】
さらに、特許文献３のように、防塵カバーが容易に紛失しないように、カバーの一部をコネクタに常時結合させるものが知られている。
【先行技術文献】
【特許文献】
【０００６】
【特許文献１】特開2008-83086号公報
【特許文献２】特開平6-181870号公報
【特許文献３】特開2003-229202号公報
【発明の概要】
【発明が解決しようとする課題】
【０００７】
しかしながら、上記特許文献２のものを携帯端末の外部接続端子用のカバーとして適用すると、携帯端末本体の表面からカバー全体が突出して携帯端末を取り扱う際にカバーが邪魔になって携帯性が損なわれたり、デザイン性が損なわれたりするという問題がある。
【０００８】
また、上記特許文献３の場合は、外部接続端子を差し込むときにカバー自体を外部接続端子の挿入ルートから回避させる手間が発生すると共に、その回避させたカバーが携帯端末本体から突出して携帯端末を取り扱うときにカバーが邪魔になって携帯性が損なわれるという問題がある。
【０００９】
本発明は、かかる点に鑑みてなされたものであり、その目的とするところは、ユーザがジャックカバーを紛失するのを防止すると共に、ジャックカバーが邪魔になって携帯性が損なわれたり、外観が損なわれたりしないようにすることにある。
【課題を解決するための手段】
【００１０】
上記の目的を達成するために、この発明では、取り外したジャックカバーをダミージャックに脱着可能とした。
【００１１】
具体的には、外部接続端子が挿入されるジャックが内蔵された携帯端末本体と、該ジャックに着脱自在なジャックカバーとを有する携帯端末を前提とし、
上記ジャックは、該ジャックの内面から突出するとともに上記外部接続端子を該ジャックに挿入したときに該外部接続端子と圧接して導通する接点バネ部を備え、
上記ジャックカバーは、上記ジャックに挿入したときに上記接点バネ部を回避する回避用凹部を備え、
上記携帯端末本体の上記ジャックと異なる位置に上記ジャックカバーを着脱可能なダミージャックが設けられ、
上記ダミージャックは、上記ジャックカバーを挿入したときには上記回避用凹部に嵌りかつ上記外部接続端子を挿入するときに該外部接続端子に当接して該外部接続端子の挿入を阻止する突部を備えている。
【００１２】
上記の構成によると、外部接続端子を挿入した際に、ジャック内面に突出している電気的接点の役割をする接点バネ部が撓んで外部接続端子と導通する構造であることにあわせ、ジャックカバーに凹部を設けているので、ジャックカバーでジャックを覆うときに、接点バネ部を寸法的に回避して接点バネ部を保護することができる。さらに、凹部がダミージャックの突部を回避するので、ジャックカバーがダミージャックに容易に嵌め込まれる。一方、外部接続端子を間違ってダミージャックに挿入しようとしても、ダミージャックの突部が外部接続端子に当接してその侵入を阻止するので、ユーザに誤挿入であることを知らせることができる。そして、外部接続端子をジャックに差し込むときに、取り外したジャックカバーをダミージャックに嵌め込むことで、ユーザがジャックカバーを紛失することが防止され、また、ジャックカバーがダミージャックに収まるので、邪魔になって携帯性が損なわれることはない。一方、外部接続端子の非使用時にはジャックに挿入されていたジャックカバーは、携帯端末本体における、ジャックとは別の位置に嵌め込まれるので、外観が損なわれることはない。特にジャックカバーのデザインに特徴があるときなどには、そのデザインや色調をファッションとして楽しむことができる。
【００１３】
第２の発明では、第１の発明において、
上記ダミージャックは、樹脂成形品よりなり、
上記突部は、上記ダミージャックに一体成形されている。
【００１４】
上記の構成によると、突部の形成が容易であると共に、樹脂成形品であるので、接点バネ部よりも剛性が高く、外部接続端子の挿入を阻止する効果が高い上、固すぎて外部接続端子を傷めることもない。
【発明の効果】
【００１５】
以上説明したように、本発明によれば、携帯端末本体のジャックと異なる位置にジャックカバーを着脱可能なダミージャックを設けると共に、ダミージャックに突部を設け、この突部をジャックカバーを挿入したときに回避用凹部に嵌り、外部接続端子を挿入するときに外部接続端子に当接して外部接続端子の挿入を阻止するように構成したことにより、ユーザがジャックカバーを紛失するのを防止すると共に、ジャックカバーが邪魔になって携帯性が損なわれたり、外観が損なわれたりしないようにすることができる。
【図面の簡単な説明】
【００１６】
【図１】ジャックに外部接続端子を差し込み、ダミージャックにジャックカバーを差し込んだ状態の、本実施形態の携帯電話機を示し、（ａ）が平面図で、（ｂ）が正面図である。
【図２】外部接続端子未使用時の図１相当図である。
【図３】ジャックの外観を示す斜視図である。
【図４】ジャックの外観を示し、（ａ）が正面図で、（ｂ）が底面図である。
【図５】図４（ｂ）のＶ−Ｖ線断面で示すジャックに外部接続端子を接続する様子を示す正面図である。
【図６】ダミージャックの外観を示す斜視図である。
【図７】ダミージャックの図４相当図である。
【図８】図７（ｂ）のVIII−VIII線断面で示すダミージャックに外部接続端子を接続できない様子を示す正面図である。
【図９】ジャックカバーを示し、（ａ）が正面図で、（ｂ）が側面図である。
【図１０】ジャックカバーの背面図である。
【図１１】図９（ａ）のXI−XI線断面図である。
【図１２】外部接続端子未使用時の従来の携帯電話機を示し、（ａ）が平面図で、（ｂ）が正面図である。
【図１３】ジャックカバーを取り外し、ジャックに外部接続端子を差し込んだ状態の、従来例の携帯電話機を示す図１２相当図である。
【発明を実施するための形態】
【００１７】
以下、本発明の実施形態を図面に基づいて説明する。
【００１８】
図１及び図２は、本発明の実施形態にかかる携帯端末としての携帯電話機１を示し、この携帯電話機１は、矩形板状の携帯端末本体としての携帯電話機本体２を備えている。この携帯電話機本体２は、例えば樹脂成形品よりなるキャビネット等を組み立てて構成され、イヤホンプラグ等よりなる外部接続端子５が挿入されるジャック３（図３参照）が内蔵されている。携帯電話機本体２における、正面から見てジャック３の右側には、ダミージャック４も内蔵されている。外部接続端子５の非使用時には、図２に示すように、ジャック３は、例えば、樹脂成形品よりなるジャックカバー６で覆われている。
【００１９】
図３〜図５に示すように、ジャック３は、例えば樹脂成形品の本体を備え、携帯電話機本体２に嵌め込んで固定されるようになっている。ジャック３の中心には、有底の穴部３ａが開口され、その穴部３ａを形成する内面から径方向内側へ突出する複数の接点バネ部３ｂ，３ｃ，３ｄが内蔵されている。接点バネ部３ｂ，３ｃ，３ｄは、導電性板バネよりなり、図示しない内部基板に接続されている。ジャック３は、穴部３ａが携帯電話機本体２の上側に開口するように携帯電話機本体２に配置されている。
【００２０】
一方、図５に示すように、外部接続端子５には、穴部３ａに挿入される棒状の挿入部５ａが設けられている。挿入部５ａを穴部３ａへ挿入した場合は、各接点バネ部３ｂ，３ｃ，３ｄが挿入部５ａによって穴部３ａの径方向外側に向け押されて撓まされることにより、挿入部５ａと接点バネ部３ｂ，３ｃ，３ｄとが電気的に接続されるようになっている。
【００２１】
図６〜図８に示すように、ダミージャック４は、ジャック３と同様に樹脂成形品よりなり、携帯電話機本体２に嵌合等により固定されている。ダミージャック４には、ジャック３における穴部３ａと略同一寸法となるダミー穴部４ａを備えている。そして、ダミー穴部４ａの内面には、ジャック３の接点バネ部３ｂに対応する位置に挿入部５ａの挿入方向に沿って延びるように径方向内側へ突出する突部４ｂが一体成形されている。この突部４ｂを一体に成形できるので、ダミージャック４の成形が容易である。ダミージャック４は、ダミー穴部４ａが携帯電話機本体２の上側に開口するように携帯電話機本体２内に配置されている。突部４ｂは、外部接続端子５の挿入部５ａをダミー穴部４ａへ挿入しようとすると、接点バネ部３ｂのように撓むことなく挿入部５ａの挿入を阻止する寸法関係になっている。
【００２２】
図９及び図１０に示すように、ジャックカバー６には、外部接続端子５における挿入部５ａと略同一外形となるカバーピン６ａが設けられている。このカバーピン６ａの外周には、接点バネ部３ｂ，３ｃ，３ｄに対応する位置に長手方向に延びる回避用凹溝６ｂ，６ｃ，６ｄが形成され、接点バネ部３ｂ，３ｃ，３ｄとの干渉をそれぞれ回避できるようになっている。カバーピン６ａの基端側には、湾曲した板状のカバー本体６ｅが一体成形され、このカバー本体６ｅがジャックカバー６でジャック３又はダミージャック４を覆ったときに外観に現れるようになっている。カバー本体６ｅは、携帯電話機本体２の外面に沿う一部湾曲した形状をしているため、カバー本体６ｅを携帯電話機本体２と同じ色調として目立たなくしてもよいし、異なる色調として逆に目立たせるようにしてもよい。ジャックカバー６を例えば耐摩耗性の高い樹脂成形品とすることで、ジャックカバー６の摩耗や削れが防止できる。
【００２３】
次に、本実施形態の携帯電話機１の作動について説明する。
【００２４】
まず、外部接続端子５の非使用時には、図２に示すように、ジャックカバー６がジャック３の穴部３ａを覆い、ダミー穴部４ａは覆われていない。カバーピン６ａの外周に回避用凹溝６ｂ，６ｃ，６ｄが形成されているので、カバーピン６ａと接点バネ部３ｂ，３ｃ，３ｄとの干渉は回避されている。また、穴部３ａがジャックカバー６に覆われて防塵されているので、接点バネ部３ｂ，３ｃ，３ｄの接触が悪くなる等粉塵による悪影響はない。一方、ダミージャック４は、ジャック３と異なり、接点バネ部３ｂ，３ｃ，３ｄを備えないので、外部接続端子５の非使用時にジャックカバー６で覆われずに多少の粉塵がダミー穴部４ａに入り込んでも問題はない。さらに、カバー本体６ｅは、携帯電話機本体２の外面に沿う形状をしているので、携帯電話機本体２の表面から大きく出っ張らず、携帯性を損なうことはなく、デザイン性を損なうこともない。
【００２５】
次いで、外部接続端子５を使用する場合には、まず、ジャックカバー６をジャック３から取り外す。このときも、カバーピン６ａの外周に回避用凹溝６ｂ，６ｃ，６ｄが形成されているので、カバーピン６ａと接点バネ部３ｂ，３ｃ，３ｄとが接触せず、接点バネ部３ｂ，３ｃ，３ｄの損傷が防止される。ここで、仮にユーザが、図８に示すように、ダミージャック４に外部接続端子５を差し込もうとすると、挿入部５ａが突部４ｂに接触して差し込めず、挿入するところを間違えたことを認識できる。このとき、突部４ｂは、板バネではなく樹脂で構成されているので、接点バネ部３ｂ，３ｃ，３ｄのように撓んでしまうことはなく、しかも固すぎて挿入部５ａを傷付けることはない。
【００２６】
次いで、ジャックカバー６をダミージャック４に嵌め込む。ダミー穴部４ａの内面には突部４ｂが設けられているが、この突部４ｂは、カバーピン６ａの外周の回避用凹溝６ｂに嵌合可能であり、ジャックカバー６が定位置に堅固に固定される。このため、ジャックカバー６を失うのが防止される。そして、ジャック３を覆っていたときと同様に、カバー本体６ｅは、携帯電話機本体２の外面に沿う形状をしているので、携帯電話機本体２の表面から大きく出っ張らず、携帯性を損なうことはなく、デザイン性を損なうこともない。そして、図１に示すように、穴部３ａに挿入部５ａを差し込む。
【００２７】
一方で、図１２及び図１３に示す従来例では、ダミージャック４を備えていないので、図１２の外部接続端子５の非使用時から、図１３に示すようにジャックカバー６を取り外したときに、ジャックカバー６を取り付けて保管する場所がなく、ジャックカバー６を失いやすい。
【００２８】
したがって、本実施形態によると、ユーザがジャックカバー６を紛失するのを防止すると共に、ジャックカバー６が邪魔になって携帯性が損なわれたり、外観が損なわれたりしないようにすることができる。
【００２９】
（その他の実施形態）
本発明は、上記実施形態について以下のような構成としてもよい。
【００３０】
すなわち、上記実施形態では、ジャックカバー６のカバーピン６ａにその挿入方向に延びる回避用凹溝６ｂ，６ｃ，６ｄを設けているが、この回避用凹溝６ｂ，６ｃ，６ｄよりも断面の大きな溝を形成し、ダミージャック４側には、この大きな溝に対応する大きな突部を設けることで、ジャック３とダミージャック４との間で外観の識別を行いやすいようにしてもよい。そうすることによって、間違ってダミージャック４に外部接続端子５を挿入しないよう視覚的に認識させることが容易になる。
【００３１】
接点バネ部３ｂ，３ｃ，３ｄの個数や配置は、上記実施形態ものに限定されず、接点バネ部の位置にあわせ、ジャックカバーに回避用凹溝を設け、ダミージャックに突部を設ければよい。
【００３２】
また、上記実施形態では、携帯端末は携帯電話機としたが、ＰＨＳ、ＰＤＡ、スマートフォン、パソコン、モバイルツール、電子辞書、電子書籍端末、ゲーム機等であってもよい。
【００３３】
なお、以上の実施形態は、本質的に好ましい例示であって、本発明、その適用物や用途の範囲を制限することを意図するものではない。
【符号の説明】
【００３４】
１      携帯電話機（携帯端末）
２      携帯電話機本体（携帯端末本体）
３      ジャック
３ａ    穴部
３ｂ，３ｃ，３ｄ    接点バネ部
４      ダミージャック
４ａ    ダミー穴部
４ｂ    突部
５      外部接続端子
６      ジャックカバー
６ｂ，６ｃ，６ｄ    回避用凹溝
【図１】
2013085138.tif 000003
【図２】
2013085138.tif 000004
【図３】
2013085138.tif 000005
【図４】
2013085138.tif 000006
【図５】
2013085138.tif 000007
【図６】
2013085138.tif 000008
【図７】
2013085138.tif 000009
【図８】
2013085138.tif 000010
【図９】
2013085138.tif 000011
【図１０】
2013085138.tif 000012
【図１１】
2013085138.tif 000013
【図１２】
2013085138.tif 000014
【図１３】
2013085138.tif 000015